(57)【要約】【課題】一つの実施形態は、信号処理経路の特性のバラツキの影響を容易に抑制することが出来る信号処理回路および信号処理方法を提供することを目的とする。【解決手段】一つの実施形態によれば、信号処理回路は、入力信号が各々に供給される複数の入力端を有する。前記複数の入力端に対応して設けられた複数の信号処理経路を有する。前記複数の入力端と前記複数の信号処理経路の間に設けられ、前記複数の入力端と前記複数の信号処理経路の接続を切換える切換回路を有する。出力端を有する。前記切換回路による切換に応じて、前記複数の信号処理経路の出力信号を前記複数の入力端に供給された各々の入力信号に対応付けて前記出力端に供給する出力回路を有する。【選択図】図１
2018136686.tif 000002
【特許請求の範囲】
【請求項１】
入力信号が各々に供給される複数の入力端と、
前記複数の入力端に対応して設けられた複数の信号処理経路と、
前記複数の入力端と前記複数の信号処理経路の間に設けられ、前記複数の入力端と前記複数の信号処理経路の接続を切換える切換回路と、
出力端と、
前記切換回路による切換に応じて、前記複数の信号処理経路の出力信号を前記複数の入力端に供給された各々の入力信号に対応付けて前記出力端に供給する出力回路と、
を具備することを特徴とする信号処理回路。
【請求項２】
前記複数の信号処理経路は所定のサンプリング信号に応答してサンプリングした信号をデジタル信号に変換するＡＤコンバータを備え、前記切換回路による前記信号処理経路の切換に応じて前記サンプリング信号の位相をシフトする位相シフト回路を備えることを特徴とする請求項１に記載の信号処理回路。
【請求項３】
前記切換回路による切換は前記出力回路により制御されることを特徴とする請求項１または２に記載の信号処理回路。
【請求項４】
前記複数の信号処理経路に各々対応して設けられた複数の出力端を備え、前記信号処理経路が順次切換えられた場合に、各々の入力端に入力された入力信号に対応する出力信号は前記入力信号が入力された入力端に対応付けられた出力端に供給されることを特徴とする請求項１または２に記載の信号処理回路。
【請求項５】
複数の入力端に入力信号を各々供給し、
前記複数の入力端に供給された入力信号を前記複数の入力端に対応して設けられた複数の信号処理経路に順次切換えて供給し、
前記複数の信号処理経路の出力信号を前記複数の入力端に供給された各々の入力信号に対応付けて出力することを特徴とする信号処理方法。
【請求項６】
前記信号処理経路において前記入力信号を所定のサンプリング信号に同期させてデジタル信号に変換し、
前記信号処理経路の切換に応じて前記サンプリング信号の位相をシフトすることを特徴とする請求項５に記載の信号処理方法。
【発明の詳細な説明】
【技術分野】
【０００１】
本実施形態は、信号処理回路および信号処理方法に関する。
【背景技術】
【０００２】
スマ−トフォンやタブレット等のタッチ検出に代表される装置においては、多数のセンサーからの入力信号を同時に、且つ信号間の誤差を小さくして処理する必要がある。しかし、各入力信号を処理する信号処理経路を構成する素子の特性のバラツキ等により、信号処理経路を同じ回路構成にした場合でも信号処理経路の利得、位相、あるいはオフセット等の特性にバラツキが生じる。キャリブレーションを行って信号処理経路間の特性のバラツキによる誤差を補正する手法があるが、温度変化や電圧変化等により測定環境が変化する為、測定環境の変化の都度キャリブレーションを行う必要が生じる。種々の条件でのキャリブレーションを行いその結果をテーブル化しておく構成では、記憶エリアが必要となりコストアップの要因となる。信号処理経路の特性のバラツキの影響をリアルタイムで、且つ、容易に抑制することが出来る信号処理回路および信号処理方法が望まれる。
【先行技術文献】
【特許文献】
【０００３】
【特許文献１】特表２０００−５１３４３３号公報
【特許文献２】特開２０１０−４４４７０号公報
【特許文献３】特公昭６３−６２７６５号公報
【発明の概要】
【発明が解決しようとする課題】
【０００４】
一つの実施形態は、信号処理経路の特性のバラツキの影響を抑制することが出来る信号処理回路および信号処理方法を提供することを目的とする。
【課題を解決するための手段】
【０００５】
一つの実施形態によれば、信号処理回路は、入力信号が各々に供給される複数の入力端を有する。前記複数の入力端に対応して設けられた複数の信号処理経路を有する。前記複数の入力端と前記複数の信号処理経路の間に設けられ、前記複数の入力端と前記複数の信号処理経路の接続を切換える切換回路を有する。出力端を有する。前記切換回路による切換に応じて、前記複数の信号処理経路の出力信号を前記複数の入力端に供給された各々の入力信号に対応付けて前記出力端に供給する出力回路を有する。
【図面の簡単な説明】
【０００６】
【図１】図１は、第１の実施形態の信号処理回路の構成を示す図である。
【図２】図２は、信号処理経路の切換による入力と出力の対応関係の一つの例を説明する図である。
【図３】図３は、第２の実施形態の信号処理方法を説明する為の図である。
【図４】図４は、シミュレーション結果を示す図である。
【図５】図５は、信号処理経路の切換による入力と出力の対応関係の他の一つの例を説明する図である。
【図６】図６は、第３の実施形態の信号処理回路の構成を示す図である。
【図７】図７は、サンプリングの位相シフトを説明する為の図である。
【図８】図８は、第４の実施形態の信号処理方法を説明する為の図である。
【図９】図９は、第５の実施形態の信号処理回路の構成を示す図である。
【発明を実施するための形態】
【０００７】
以下に添付図面を参照して、実施形態にかかる信号処理回路および信号処理方法を詳細に説明する。なお、これらの実施形態により本発明が限定されるものではない。
【０００８】
（第１の実施形態）
図１は、第１の実施形態の信号処理回路の構成を示す図である。本実施形態の信号処理回路は、複数の入力端（１０１〜１０５）を有する。各入力端（１０１〜１０５）には入力１〜入力５が各々供給される。入力１〜入力５は、例えば、タッチパネル（図示せず）から供給される信号である。
【０００９】
入力切換回路１０を有する。入力切換回路１０の出力は信号処理部２０に供給される。
【００１０】
信号処理部２０は、各入力端（１０１〜１０５）に対応して設けられた信号処理経路（２１〜２５）を有する。入力切換回路１０は、各入力端（１０１〜１０５）と各信号処理経路（２１〜２５）の接続を切換える。入力切換回路１０は、各入力端（１０１〜１０５）の接続先を信号処理経路（２１〜２５）に切換えるマルチプレクサの構成とすることが出来る。例えば、入力端（１０１〜１０５）が５つで信号処理経路（２１〜２５）が５つの場合、各５つの入力端（１０１〜１０５）と信号処理経路（２１〜２５）に接続される５つの出力端との接続を切換えるマルチプレクサを有する構成とし、その接続関係を制御回路５０の制御の下で切換える構成とすることが出来る。
【００１１】
各信号処理経路（２１〜２５）は、同じ構成要素（図示せず）を備える。例えば、増幅回路（図示せず）等を有する。各信号処理経路（２１〜２５）の出力は、出力切換回路３０に供給される。
【００１２】
出力切換回路３０は、入力切換回路１０による入力端（１０１〜１０５）と信号処理経路（２１〜２５）の接続関係の切換に応じて、各信号処理経路（２１〜２５）の出力を各入力端（１０１〜１０５）に供給された各々の入力１〜入力５に対応付けて出力端（２０１〜２０５）に供給する。例えば、入力端１０１に供給された入力１を処理する信号処理経路を信号処理経路２１から信号処理経路２２に切換えた場合には、出力切換回路３０は、信号処理経路２２の出力を入力端１０１に対応付けられた出力端２０１に供給する。これにより、出力端２０１には入力端１０１に供給された入力１に対応付けられた出力が供給される。同様な切換を行うことにより、信号処理経路（２１〜２５）を切換えた場合において、各入力端（１０１）と各出力端（２０１〜２０５）の対応付けを行うことが出来る。尚、出力切換回路３０は、入力切換回路２０と同様、各信号処理経路（２１〜２５）の出力の供給先を各出力端（２０１〜２０５）に切換えて接続するマルチプレクサの構成とすることが出来る。
【００１３】
各出力端（２０１〜２０５）の出力は、演算回路４０に供給される。演算回路４０は、各出力端（２０１〜２０５）から供給される出力に所定の演算処理を行って出力端（３０１〜３０５）に供給する。制御回路５０は、入力切換回路１０、出力切換回路３０、及び演算回路４０を制御する。
【００１４】
第１の実施形態によれば、各入力端（１０１〜１０５）に供給された入力１〜入力５を処理する信号処理経路（２１〜２５）を順次切換えて、夫々対応する出力端（２０１〜２０５）に供給する。各入力１〜入力５を処理する信号処理経路（２１〜２５）を切換えることにより、各信号処理経路（２１〜２５）の特性にバラツキが有ってもそのバラツキが平均化され、信号処理経路（２１〜２５）の特性のバラツキによる誤差が抑制された出力を得ることが出来る。すなわち、信号処理経路（２１〜２５）の特性のバラツキの影響を抑制することが出来る。各入力１〜入力５に対する信号処理経路（２１〜２５）の切換を行う構成である為、リアルタイムで且つ容易に信号処理経路（２１〜２５）の特性のバラツキの影響を抑制することが出来る。
【００１５】
図２は、図１に示す第１の実施形態の信号処理回路における信号処理経路（２１〜２５）の切換方法の一つの例を説明する図である。入力１〜入力５と出力１〜出力５の対応関係を示す。左欄に示す入力１〜入力５は、図１の入力端（１０１〜１０５）に供給される入力を示す。
【００１６】
例えば、各出力１〜出力５を出力する迄に信号処理経路（２１〜２５）の切換を５回行う。１回目の信号処理においては、入力１はＡで示す信号処理経路２１に供給される。信号処理経路２１で処理された入力１の出力が出力切換回路３０を介して入力端１０１に対応して設けられた出力端２０１に供給される。同様に、入力２〜入力５はＢ〜Ｅで示す信号処理経路（２２〜２５）によって処理された後に、夫々対応する出力端（２０２〜２０５）に出力切換回路３０を介して供給される。
【００１７】
２回目の信号処理においては、入力切換回路１０による信号処理経路（２１〜２５）の切換が行われ、入力１はＢで示す信号処理経路２２に供給される。同様に、入力２〜入力５についても信号処理経路の切換が行われ、図２に示す対応関係の信号処理経路（２１〜２５）に供給される。
【００１８】
夫々の入力１〜入力５について、用意された信号処理経路（２１〜２５）の全てについての切換が行われる。信号処理経路（２１〜２５）の切換に応じて、出力切換回路３０は信号処理経路（２１〜２５）の出力を各入力端（１０１〜１０５）に夫々対応して設けられた各出力端（２０１〜２０５）に供給する。すなわち、各信号処理経路（２１〜２５）により処理した入力１の処理信号が出力端子２０１に供給される様に出力する。同様に、他の入力２〜５についても、夫々信号処理経路（２１〜２５）により処理された信号が対応する出力端（２０２〜２０５）に供給される様に出力する。
【００１９】
出力端（３０１〜３０５）の出力１〜出力５は、例えば、各信号処理経路（２１〜２５）を介して得られた入力１〜入力５に対応する出力信号の夫々の合計値とすることが出来る。あるいは、その合計値を信号処理経路（２１〜２５）の切換回数で除した平均値とすることが出来る。夫々の演算は演算回路４０によって行う構成とすることが出来る。
【００２０】
（第２の実施形態）
図３は、第２の実施形態の信号処理方法を説明する為の図である。本実施形態の信号処理方法は、例えば、図１に示す第１の実施形態の信号処理回路において実施される。Ｎ個の入力端（１０１〜１０５）に供給される入力１〜入力５を取得する（Ｓ３０１）。入力１〜入力５を、夫々の入力端（１０１〜１０５）に対応して設けられたＮ個の信号処理経路（２１〜２５）を介して出力する（Ｓ３０２）。夫々の信号処理経路（２１〜２５）の出力は、各入力端（１０１〜１０５）に対応して設けられた出力端（２０１〜２０５）に供給される。これにより、各信号処理経路（２１〜２５）による第１回目の信号処理が行なわれる。
【００２１】
信号処理経路（２１〜２５）の切換を行う（Ｓ３０３）。例えば、入力１を処理する信号処理経路を信号処理経路２１から信号処理経路２２に切換える。同様に、入力２〜入力５について、信号処理経路（２１〜２５）を切換える。
【００２２】
Ｎ個の各入力１〜入力５に対応して設けられたＮ個の信号処理経路（２１〜２５）の切換が行われたかを判断する（Ｓ３０４）。すなわち、入力１〜入力５を、全ての信号処理経路（２１〜２５）により処理して、対応する出力端（２０１〜２０５）に供給したか否かを判断する。
【００２３】
全ての信号処理経路（２１〜２５）への切換が行われた場合（Ｓ３０４：Ｙｅｓ）には、終了する。切換が行われていない場合には、信号処理経路（２１〜２５）の切換を続行する（Ｓ３０４：Ｎｏ）。
【００２４】
本実施形態による信号処理方法によれば、Ｎ個の各入力をＮ個の信号処理経路（２１〜２５）に順次切換えて供給し、信号処理を行って出力する。これにより、各信号処理経路（２１〜２５）に特性のバラツキが有ったとしてもそのバラツキの平均化が行われ、信号処理経路（２１〜２５）の特性のバラツキの影響を抑制することが出来る。
【００２５】
図４は、シミュレーション結果を示す。図４（Ａ）は、信号処理経路（２１〜２５）の利得を示す。図１に示す実施形態の信号処理回路の各信号処理経路（２１〜２５）を、便宜的にＡ〜Ｅで示している。
【００２６】
図４（Ｂ）は、入力端（１０１〜１０５）に供給される入力１〜入力５を示す。このシミュレーションにおいては、１回目から５回目の信号処理のタイミングで供給される入力１〜入力５が変化する設定にしている。合計値は、１回目から５回目の信号処理、すなわち、信号処理経路（２１〜２５）の切換の間に供給される各入力１〜入力５の合計値を示す。正規化入力値は、入力３を基準にして正規化したもので、便宜的に、各入力値の合計値を、入力３の合計値の１／１０の値、すなわち、５．０７で除した値を示す。
【００２７】
図４（Ｃ）は、入力切換回路１０と出力切換回路３０による信号処理経路（２１〜２５）の切換を行わず、出力１が出力される出力端（２０１、３０１）には、信号処理経路２１が常に接続された場合である。同様に、各出力端（２０２〜２０５、３０２〜３０５）には、夫々、特定の信号処理経路（２２〜２５）が、常に接続される。
【００２８】
従って、図４（Ｃ）の出力１としては、１回目から５回目の信号処理において、夫々のタイミングにおける入力１を信号処理経路２１の利得「１０５」で乗じた信号が出力される。他の出力２〜５についても同様である。合計値は、１回目から５回目までの出力を合計した値である。正規化出力値は、出力３を基準にして正規化したもので、便宜的に、各出力値の合計値を、出力３の合計値の１／１０の値である「５０７」で除した値を示す。
【００２９】
経路誤差は、各正規化出力を、夫々対応する正規化入力値で除した値を示す。誤差率は、「１」との差分をパーセント表示した値を示す。
【００３０】
図４（Ｃ）のシミュレーションにおいては、信号処理経路（２２〜２５）の切換を行っていない為、経路間誤差としては各信号処理経路（２２〜２５）の利得のバラツキがそのまま反映される。この為、信号処理経路（２２〜２５）間の誤差率は５％〜−５％となる。
【００３１】
図４（Ｄ）は、入力切換回路１０により、１回目から５回目までの各信号処理において信号処理経路（２１〜２５）の切換を行った場合のシミュレーション結果を示す。このシミュレーションにおける信号処理経路（２１〜２５）の切換は、図２に示す切換方法に対応している。すなわち、１回目の信号処理においては、入力１は信号処理経路Ａを介して出力され、２回目以降は信号処理経路がＢ→Ｃ→Ｄ→Ｅに切換えられて出力端（２０１、３０１）に出力される。同様に、他の入力２〜入力５に対しても信号処理経路（２１〜２５）が図２に示す対応関係で切換えられる。
【００３２】
結果として、出力１としては、１回目の信号処理において入力１を信号処理経路２１の利得「１０５」で乗じた信号が出力される。２回目の信号処理以降は、夫々の切換のタイミングで供給される入力１に夫々の切換に応じて経由する信号処理経路（２２〜２５）の利得を乗じた信号が出力される。
【００３３】
合計値は、信号処理経路（２１〜２５）の１回目から５回目までの信号処理に応じて得られた出力の合計値を示す。他の出力２〜５についても同様である。正規化出力値は、出力３を基準にして夫々の出力値を正規化したもので、便宜的に、各出力の合計値を、出力３の合計値の１／１０の値、すなわち、「５０６．０６」で除した値を示す。
【００３４】
経路誤差は、図４（Ａ）に示す対応する各々の正規化入力値により各正規化出力を除した値である。すなわち、出力１については、正規化出力値「４．９９９」を正規化入力値「５」で除した値である。誤差率は、「１」との差分をパーセント表示した値を示す。
【００３５】
図４（Ｄ）のシミュレーション結果が示す様に、信号処理経路（２１〜２５）の切換を行うことにより信号処理経路間の誤差率は０．００１１８５６％〜−０．０１７７８％となり、図４（Ｃ）に示す信号処理経路（２１〜２５）を切換えない場合の信号処理経路間の誤差率５％〜−５％に比べて大幅に抑制されることが分かる。
【００３６】
尚、図４（Ｄ）で説明した各信号処理経路（２１〜２５）の切換において図４（Ｂ）で示される入力１〜入力５が、各タイミング（１回目から５回目）で同じ値の場合は、各入力１〜入力５に対して経路誤差は全て「１」となり、誤差率は０％となる。
【００３７】
例えば、図１に示す第１の実施形態において、入力端（１０１〜１０５）に供給される入力１〜入力５の変化が無視できる程信号処理経路（２１〜２５）の切換が早い場合、切換えられる各信号処理経路（２１〜２５）に対して実質的に同じ値の入力１〜入力５が供給される。タッチパネル（図示せず）を長押した場合の信号処理等の場合に生じる。
【００３８】
あるいは、図１に示す第１の実施形態において、各入力端（１０１〜１０５）と入力切換回路１０との間、あるいは、入力切換回路１０と各信号処理経路（２１〜２５）を有する信号処理部２０との間に、各入力１〜入力５を一時的に保持する保持回路（図示せず）を設け、信号処理経路（２１〜２５）の所定の切換による処理が終わるまで、保持回路に一時的に保持した入力１〜入力５を各信号処理経路（２１〜２５）に供給する構成とすることで、各信号処理経路（２１〜２５）に同じ値、すなわち、一定の値の入力１〜入力５を供給する構成とすることが出来る。
【００３９】
図５は、図１に示す第１の実施形態の信号処理回路における信号処理経路（２１〜２５）の切換方法の他の一つの例を説明する図である。入力１〜入力５と出力１〜出力５の対応関係を示す。左欄に示す入力１〜入力５は、図１の入力端（１０１〜１０５）に供給される入力を示す。この例の場合、信号処理経路（２１〜２５）の切換を３回行って、夫々の入力１〜入力５に対応する１回目の出力１〜出力５を得る。すなわち、入力１に対しては、１回目の信号処理においてＡで示す信号処理経路２１による信号処理を行い、以降、２回目から３回目の信号処理においてＢ、Ｃで示す信号処理経路（２２、２３）への切換が行われる。同様に、各入力２〜５についても、３つの信号処理経路への切換を行って出力２〜出力５を得る。
【００４０】
右欄側に示す２回目の出力１〜出力５についても、夫々の入力１〜入力５に対して信号処理経路（２１〜２５）の切換を３回行って出力する。すなわち、図２の場合には、各出力１〜出力５を、全ての信号処理経路（２１〜２５）の切換を行った後に得たが、図５の処理方法の例においては、各入力１〜入力５に対して３つの信号処理経路への切換を行って出力を得る。各出力１〜出力５は、切換により経由した３つの信号処理経路から得られた出力の合計値とすることが出来る。あるいは、特定の出力を基準として正規化した値を演算して各出力１〜出力５としても良い。
【００４１】
各入力１〜入力５を処理する信号処理経路（２１〜２５）の切換を所定回数行って出力１〜出力５を得ることにより、信号処理経路（２１〜２５）間の特性のバラツキの影響を抑制することが出来る。
【００４２】
（第３の実施形態）
図６は、第３の実施形態の信号処理回路の構成を示す図である。既述の実施形態に対応する構成要素には同じ符号を付して、重複した記載は必要な場合にのみ行う。以下同様である。本実施形態の信号処理回路においては、各信号処理経路（２１〜２５）は、サンプリングホールド回路（２１１、２２１、２３１、２４１、２５１）とアナログデジタル変換回路（ＡＤＣ）（２１２、２２２、２３２、２４２、２５２）を有する。すなわち、入力切換回路１０を介して供給された入力１〜入力５を、デジタル信号に変換して出力切換回路３０に供給する。
【００４３】
サンプリング位相制御回路６０は、クロック信号ＣＬＫからサンプリング信号（φ１〜φ５）を生成し、各サンプリングホールド回路（２１１、２２１、２３１、２４１、２５１）に供給する。各サンプリングホールド回路（２１１、２２１、２３１、２４１、２５１）は、サンプリング位相制御回路６０から供給されるサンプリング信号（φ１〜φ５）に同期して入力切換回路１０から供給される信号をサンプリングする。
【００４４】
制御回路５０は、入力切換回路１０、サンプリング位相制御回路６０、出力切換回路３０、及び演算回路４０を制御する。例えば、制御回路５０は、入力切換回路１０の切換動作に応じてサンプリング位相制御回路６０が出力するサンプリング信号（φ１〜φ５）の位相をシフトする。
【００４５】
図７は、サンプリング信号（φ１〜φ５）の位相シフトとその効果を説明する為の図である。入力Ｓのサンプリング信号φ１の位相をφ１からφ１２、φ１３へとシフトすることで、入力Ｓの検出位置（Ｐ１〜Ｐ３）が変化する。これにより、入力Ｓを量子化する信号レベル（Ｌ１〜Ｌ３）が変化する。
【００４６】
サンプリング信号φ１の位相をシフトすることにより入力Ｓを検出する信号レベル（Ｌ１〜Ｌ３）を変化させて量子化し、その出力を平均化することで全体としての量子化誤差を軽減できることが知られている。各々の入力を処理する信号処理経路（２１〜２５）を順次切換えることにより信号処理経路（２１〜２５）間の特性のバラツキの影響を抑制し、また、信号処理経路（２１〜２５）の切換に応じてサンプリング信号（φ１〜φ５）の位相をシフトすることにより信号処理経路（２１〜２５）のＡＤＣ（２１２、２２２、２３２、２４２、２５２）の量子化誤差を軽減することが出来る。すなわち、量子化誤差を軽減し、且つ、信号処理経路（２１〜２５）の特性のバラツキの影響も抑制することが出来る。
【００４７】
各信号処理経路（２１〜２５）に供給されるサンプリング信号（φ１〜φ５）の位相は同じであっても良いし、異なる位相としても良い。サンプリング信号（φ１〜φ５）の位相を同じにする場合には、信号処理経路（２１〜２５）の切換に応じて、各サンプリング信号（φ１〜φ５）の位相を同じ様にシフトする構成とすることが出来る。各サンプリング信号（φ１〜φ５）が異なる位相の場合には、信号処理経路（２１〜２５）を切換えることによりサンプリング信号の位相シフトを行ったことと同様の効果を得ることが出来る。尚、サンプリング信号（φ１〜φ５）の位相が異なる場合においても、信号処理経路（２１〜２５）の切換に応じて夫々のサンプリング信号（φ１〜φ５）の位相をシフトする構成としても良い。
【００４８】
（第４の実施形態）
図８は、第４の実施形態の信号処理方法を説明する為の図である。本実施形態の信号処理方法は、例えば、図７に示す第３の実施形態の信号処理回路において実施される。入力端（１０１〜１０５）に供給されるＮ個の入力１〜入力５をサンプリングする（Ｓ８０１）。例えば、信号処理経路（２１〜２５）のサンプリングホールド回路（２１１、２２１、２３１、２４１、２５１）がサンプリング信号（φ１〜φ５）に同期して入力１〜入力５をサンプリングする。
【００４９】
サンプリングした入力１〜入力５を、ＡＤＣ（２１２、２２２、２３２、２４２、２５２）を有する信号処理経路（２１〜２５）を介して出力する（Ｓ８０２）。この際、入力１〜入力５は、各信号処理経路（２１〜２５）のＡＤＣ（２１２、２２２、２３２、２４２、２５２）によりデジタル信号に変換される。
【００５０】
サンプリングの位相をシフトして信号処理経路を切換える（Ｓ８０３）。すなわち、既述した実施形態と同様に、例えば、各入力端（１０１〜１０５）に接続される信号処理経路（２１〜２５）の接続先を入力切換回路１０により切換える。これにより、信号処理経路（２１〜２５）の特性のバラツキの影響を抑制することが出来る。
【００５１】
サンプリングの位相シフトは、例えば、サンプリング位相制御回路６０から供給される所定周期のサンプリング信号（φ１〜φ５）の位相を相対的にシフトすることで行う。サンプリング信号（φ１〜φ５）の位相をシフトすることで、量子化誤差の影響を抑制することが出来る。結果として、信号処理経路（２１〜２５）の切換による信号処理経路の特性のバラツキの影響の抑制と、ＡＤＣを含む信号処理経路（２１〜２５）の量子化誤差の抑制の両方を同時に行うことが出来る。
【００５２】
Ｎ個の入力１〜入力５に対応して設けられたＮ個の信号処理経路（２１〜２５）の切換が行われたかを判断する（Ｓ８０４）。Ｎ個の信号処理経路（２１〜２５）切換が行われた場合（Ｓ８０４：Ｙｅｓ）には終了する。Ｎ個の信号処理経路（２１〜２５）の切換が行われていない場合（Ｓ８０４：Ｎｏ）には、サンプリングの位相のシフトと信号処理経路（２１〜２５）の切換を継続する。
【００５３】
本実施形態の信号処理方法においては、信号処理経路（２１〜２５）の切換により、信号処理経路（２１〜２５）の特性のバラツキの影響を抑制することが出来る。また、ＡＤＣを含む信号処理経路（２１〜２５）のサンプリング信号（φ１〜φ５）の位相をシフトすることにより、量子化誤差を軽減することが出来る。
【００５４】
尚、サンプリングの位相シフトと信号処理経路の切換（Ｓ８０３）は、各信号処理経路（２１〜２５）の切換と同時にサンプリング信号（φ１〜φ５）の夫々の位相をシフトし、両方を同時に行う制御方法でも良い。
【００５５】
（第５の実施形態）
図９は、第５の実施形態の信号処理回路の構成を示す図である。本実施形態は、各信号処理経路（２１〜２５）の出力が供給されるマイクロコントロールユニット（ＭＣＵ）７０を有する。
【００５６】
ＭＣＵ７０は、入力切換回路１０による信号処理経路（２１〜２５）の切換に応じて、信号処理経路（２１〜２５）の出力信号を入力端（１０１〜１０５）に供給された各々の入力１〜入力５に対応付けて出力端３００に供給する。例えば、各入力１〜入力５が供給される信号処理経路（２１〜２５）の切換に応じて夫々の信号処理経路（２１〜２５）からの出力が入力１〜入力５のいずれに対応するかを関連付けして出力端３００に供給する。ＭＣＵ７０が出力する順番による関連付け、あるいは、ＭＣＵ７０により所定の識別信号を付与して出力することにより、各入力１〜入力５と出力端３００に供給される出力との対応付けを行うことが出来る。各入力１〜入力５と対応付けて出力する為、ＭＣＵ７０の出力が供給される出力端３００は１個で良い。ＭＣＵ７０は、入力切換回路１０とサンプリング位相制御回路６０を制御する。
【００５７】
各信号処理経路（２１〜２５）は、夫々、ＡＤＣ（２１２、２２２、２３２、２４２、２５２）によりデジタル化した信号を出力する。ＭＣＵ７０に演算機能を持たせることにより、各信号処理経路（２１〜２５）を介して得られた出力の合計値、あるいは、信号処理経路（２１〜２５）の切換により得られた出力の平均値を出力する構成とすることが出来る。
【００５８】
本実施形態は、信号処理経路（２１〜２５）の切換を制御し、各信号処理経路（２１〜２５）の出力を入力端（１０１〜１０５）に供給された各入力１〜入力５に対応付けて出力端３００に供給するＭＣＵ７０を備える。これにより、図１の実施形態の出力切換回路３０と制御回路５０、更には演算回路４０を省略することが出来る為、信号処理回路の構成を簡略化することが出来る。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１０  入力切換回路、２０  信号処理部、２１〜２５  信号処理経路、３０  出力切換回路、４０  演算回路、５０  制御回路、６０  サンプリング位相制御回路、７０  ＭＣＵ、１０１〜１０５  入力端、２０１〜２０５及び３００〜３０５  出力端。
【図１】
2018136686.tif 000003
【図２】
2018136686.tif 000004
【図３】
2018136686.tif 000005
【図４】
2018136686.tif 000006
【図５】
2018136686.tif 000007
【図６】
2018136686.tif 000008
【図７】
2018136686.tif 000009
【図８】
2018136686.tif 000010
【図９】
2018136686.tif 000011